(57)【要約】      （修正有）【課題】引き上げ時の抵抗を少なくする事が出来る雪掻きボードを提供する。【解決手段】雪掻きボードを屋根の尾根に引き上げるとき、積雪を跨ぐように移動出来るようにコの字型に曲げたシャフトを雪掻きボ−ド固定アーム２のベアリングに差し込んで両端に雪掻きボ−ド開閉アーム５を取り付け虫ネジで固定する。雪掻きボ−ド開閉アーム５には雪掻きボード（開）引き下げワイヤー取り付け金具８と雪掻きボード（閉）引き上げワイヤー取り付け金具１１を取り付ける。雪掻きボード固定アーム２には図のように雪掻きボード垂直ストッパー９と雪掻きボード水平ストッパー１０を取り付け、シャフトがベアリングの中で回転し水平と垂直の９０度の範囲で動作する構造とする。雪掻きボード固定アーム２には固定アーム引き上げワイヤー取り付け金具３と固定アーム引き下げワイヤー取り付け金具６を取り付ける。シャフトには雪掻きボード１を取り付ける。【選択図】図１
2007231717.tif 000002
【特許請求の範囲】
【請求項１】
図１〜３は雪掻きボードの平面図及び側面図である。
雪掻きボードを屋根の尾根に引き上げる時、屋根の積雪を跨ぐように移動出来るようにコの字型に曲げたシャフト１３を雪掻きボ−ド固定アーム２のベアリング７に差し込んで両端に雪掻きボ−ド開閉アーム５を図２のように取り付け虫ネジで固定する。
また雪掻きボ−ド開閉アーム５には雪掻きボード（開）引き上げワイヤー取り付け金具８と雪掻きボード（閉）引き下げワイヤー取り付け金具１１を取り付ける。
雪掻きボ−ド固定アーム２には図１〜３のように雪掻きボード垂直ストッパー９と雪掻きボード水平ストッパー１０を取り付け、シャフト１３がベアリング７の中で回転し水平と垂直の９０度の範囲で動作する構造とする。
また雪掻きボ−ド固定アーム２には固定アーム引き上げワイヤー取り付け金具３と固定アーム引き下げワイヤー取り付け金具６を取り付ける。
シャフト１３には雪掻きボード１を図１〜３のように取り付ける。
上記のように構成された雪掻きボード
【請求項２】
図４〜６は移動レールを取り付けた雪掻きボードの平面図及び側面図である。
請求項１に記載した雪掻きボードに移動レール１４を取り付け移動レールの中を前後に移動するベアリング付き移動ローラー１５を取り付ける。
そうする事によって雪掻きボードが軒先まで移動したとき、さらに引っ張られ移動レール１４の中で雪掻きボード１が軒先側に移動し掻き残す雪を少なくした雪掻きボード
【請求項３】
図７〜９はベアリング付きローラー１６を取り付けた雪掻きボードの平面図及び側面図である。
巻き上げワイヤーが弛んで屋根表面と接触するのを避ける為、体育館のような屋根幅の広い建物に使用する、ベアリング付きローラー１６をシャフト１３に取り付けた雪掻きボード。
【発明の詳細な説明】
【技術分野】
【０００１】  この発明は屋根の雪下ろし機に関する。
【背景技術】
【０００２】  本人出願の特願２００５−１６２５４８に記載の雪掻きボード
【発明の開示】
【発明が解決しようとする課題】
【０００３】  本人出願の特願２００５−１６２５４８に記載の雪掻きボード１は、雪掻き後屋根の尾根に沿って引き上げる時、雪掻きボード１が屋根の積雪の中を上下に切断するように移動する為、巻き上げの抵抗となっていた。
【課題を解決するための手段】
【０００４】  図面に基づいて説明すると、図１〜３は雪掻きボードの平面図及び側面図である。
雪掻きボードを屋根の尾根に引き上げる時、屋根の積雪を跨ぐように移動出来るようにコの字型に曲げたシャフト１３を雪掻きボ−ド固定アーム２のベアリング７に差し込んで両端に雪掻きボ−ド開閉アーム５を図２のように取り付け虫ネジで固定する。
また雪掻きボ−ド開閉アーム５には雪掻きボード（開）引き上げワイヤー取り付け金具８と雪掻きボード（閉）引き下げワイヤー取り付け金具１１を取り付ける。
雪掻きボ−ド固定アーム２には雪掻きボード垂直ストッパー９と雪掻きボード水平ストッパー１０を取り付け、シャフト１３がベアリング７の中で回転し水平と垂直の９０度の範囲で動作する構造とする。
また雪掻きボ−ド固定アーム２には固定アーム引き上げワイヤー取り付け金具３と固定アーム引き下げワイヤー取り付け金具６を取り付ける。
シャフト１３には雪掻きボード１を取り付ける。
【発明の効果】
【０００５】  この発明は、以上説明したように雪掻きボードを屋根の尾根に沿って引き上げる時、雪掻きボードは積雪の上を跨ぐように屋根の尾根に引き上げる事が出来て、引き上げ時の抵抗を少なくする事が出来る。
【発明を実施するための最良の形態】
【０００６】  以上のように構成された雪掻きボードで屋根の雪を掻き下ろす手順を説明する。
図１〜３は雪掻きボードの平面図及び側面図である、雪掻きボードが雪を掻き軒先に図２の（ａ）のように屋根と垂直状態にあると仮定する。
この状態で雪掻きボード（開）引き上げワイヤー取り付け金具８に取り付けられたワイヤーを巻き上げると雪掻きボ−ド開閉アーム５が尾根の方に引っ張られベアリング７の中でシャフト１３が回転し９０度回転した状態で雪掻きボード水平ストッパー１０に接触し図２（ｂ）の状態になる。
その後そのまま引き上げると雪掻きボード１は水平状態を保ち屋根の積雪の上を跨ぐように移動する。
屋根の尾根まで引き上げたら巻き上げ機を逆転させ、雪掻きボード（閉）引き下げワイヤー取り付け金具１１に取り付けられたワイヤーを引き下ろすと雪掻きボード開閉アーム５が軒先の方に引っ張られベアリング７の中でシャフト１３が逆回転し９０度逆回転した状態で雪掻きボード垂直ストッパー９に接触し図２（ａ）の状態になる、その状態でさらに引き下げると屋根の雪を掻きながら軒先へと移動し屋根の雪下ろしを行う。
こうする事で巻き上げ時の抵抗を小さくできる。
【他の実施形態】
【０００７】  図４〜６は移動レールを取り付けた雪掻きボードの平面図及び側面図である。
本考案に記載した雪掻きボードに移動レール１４を取り付け移動レールの中を前後に移動するベアリング付き移動ローラー１５を取り付ける。
そうする事によって雪掻きボードが軒先まで移動したとき、さらに引っ張られ移動レール１４の中で雪掻きボードが軒先側に移動し、掻き残す雪を少なくした雪掻きボード
図７〜９は巻き上げワイヤーが弛んで屋根表面と接触するのを避ける為、体育館のような屋根幅の広い建物に使用する、ベアリング付きローラー１６をシャフト１３に取り付けた雪掻きボードである。
図１２のように屋根の軒先の子機に雪掻きボード本体を乗せる架台１７を設け、捲き上げ機を逆転させ雪掻きボードを軒先まで引き下げて雪を掻き下ろし、完了すれば子機に取り付けられた架台１７の上にのせた状態で横に移動する事によって屋根と接触せずに移動出来ると共に、掻き残した軒先の雪を架台１７の枠板で削ぎ落とす。
図１３〜１４は減速ギャー付きクラッチモーターを取り付けた捲き取り機を２個取り付け雪掻きボードと固定アームを別々に巻き取り、雪掻きボード捲き取り機１８を動作させた時は固定アーム捲き取り機１９のクラッチを開にし、固定アーム捲き取り機１９を動作させた時は雪掻きボード捲き取り機１８のクラッチを開にする事でベアリング付きローラー１６を取り付けた雪掻きボードの水平又は垂直を任意に操作出来る。
【実施例】
【０００８】  図１〜３は雪掻きボードの平面図及び側面図である。
雪掻きボードを屋根の尾根に引き上げる時、屋根の積雪を跨ぐように移動出来るようにコの字型に曲げたシャフト１３を雪掻きボード固定アーム２のベアリング７に差し込んで両端に雪掻きボ−ド開閉アーム５を図２のように取り付け虫ネジで固定する。
また雪掻きボ−ド開閉アーム５には雪掻きボード（開）引き上げワイヤー取り付け金具８と雪掻きボード（閉）引き下げワイヤー取り付け金具１１を取り付ける。
雪掻きボ−ド固定アーム２には雪掻きボード垂直ストッパー９と雪掻きボード水平ストッパー１０を取り付け、シャフト１３がベアリング７の中で回転し水平と垂直の９０度の範囲で動作する構造とする。
また雪掻きボ−ド固定アーム２には固定アーム引き上げワイヤー取り付け金具３と固定アーム引き下げワイヤー取り付け金具６を取り付ける。
シャフト１３には雪掻きボード１を取り付ける。
図４〜６は移動レールを取り付けた雪掻きボードの平面図及び側面図である。
上記図１〜３に記載した雪掻きボードに移動レール１４を取り付け移動レールの中を前後に移動するベアリング付き移動ローラー１５を取り付ける。
そうする事によって雪掻きボードが雪を掻きながら軒先まで移動したとき、さらに引っ張られ移動レール１４の中で雪掻きボードが軒先側に移動し掻き残す雪を少なく出来るような構造とする。
【産業上の利用可能性】
【０００９】  屋根の雪下ろし機に利用出来る。
【図面の簡単な説明】
【０００９】
【図１】雪掻きボード水平状態の平面図である。
【図２】雪掻きボードの側面図である。
【図３】雪掻きボード垂直状態の平面図である。
【図４】移動レール１４を取り付けた雪掻きボード水平状態の平面図である。
【図５】移動レール１４を取り付けた雪掻きボードの側面図である。
【図６】移動レール１４を取り付けた雪掻きボード垂直状態の平面図である。
【図７】ベアリング付きローラー１６を取り付けた雪掻きボード水平状態の平面図である。
【図８】ベアリング付きローラー１６を取り付けた雪掻きボードの側面図である。
【図９】ベアリング付きローラー１６を取り付けた雪掻きボード垂直状態の平面図である。
【図１０】本人出願の特願２００５−１６２５４８に記載の雪掻きボードである
【図１１】移動レール１４を取り付けた雪掻きボードの屋根の側面図である。
【図１２】ベアリング付きローラー１６を取り付けた雪掻きボードの屋根の側面図である。
【図１３】捲き取り機を２個取り付けた親機の平面図である。
【図１４】捲き取り機を２個取り付けた親機の正面図である。
【符号の説明】
１．雪掻きボ−ド
２．雪掻きボ−ド固定アーム
３．固定アーム引き上げワイヤー取り付け金具
４．虫ねじ
５．雪掻きボ−ド開閉アーム
６．固定アーム引き下げワイヤー取り付け金具
７．ベアリング
８．雪掻きボード（閉）引き上げワイヤー取り付け金具
９．雪掻きボード垂直ストッパー
１０．雪掻きボード水平ストッパー
１１．雪掻きボード（開）引き下げワイヤー取り付け金具
１２．ワイヤー
１３．シャフト
１４．雪掻きボード移動レール
１５．ベアリング付き移動ローラー
１６．ベアリング付きローラー
１７．架台
１８．雪掻きボード捲き取り機
１９．固定アーム捲き取り機
２０，減速ギャー
２１．クラッチ
【図１】
2007231717.tif 000003
【図２】
2007231717.tif 000004
【図３】
2007231717.tif 000005
【図４】
2007231717.tif 000006
【図５】
2007231717.tif 000007
【図６】
2007231717.tif 000008
【図７】
2007231717.tif 000009
【図８】
2007231717.tif 000010
【図９】
2007231717.tif 000011
【図１０】
2007231717.tif 000012
【図１１】
2007231717.tif 000013
【図１２】
2007231717.tif 000014
【図１４】
2007231717.tif 000015
【図１３】
2007231717.tif 000016